(57)【要約】【課題】紙おむつそのものは汚すことなく、大便で汚れた部分だけを取り除き、しかも大便および大便で汚れた部分を直接トイレに流すことができる紙おむつの補助シートとして活用し得る紙おむつ用補助シートを提供する。【解決手段】紙おむつ用補助シートは、水溶性または水離解性を有する紙に水溶性フィルムを部分的に接合し、積層してなる複合材料からなる。紙おむつ用補助シートは、水溶性または水離解性を有する紙と水溶性フィルムからなるので、トイレに流すと水洗トイレの水に溶解し、水洗トイレを詰まらせることはない。また水溶性フィルムは排泄物を確実に受け、おむつカバーが排泄物によって汚れることを防止する。【選択図】　図１
2004097699.tif 000002
【特許請求の範囲】
【請求項１】
水溶性または水離解性を有する紙に水溶性フィルムを部分的に接合し、積層してなる複合材料からなることを特徴とする紙おむつ用補助シート。
【請求項２】
複合材料は、水溶性または水離解性を有する紙／水溶性フィルム、水溶性または水離解性を有する紙／水溶性フィルム／水溶性または水離解性を有する紙、または水溶性または水離解性を有する紙／水溶性フィルム／発泡水溶性フィルム／水溶性フィルム／水溶性または水離解性を有する紙の層構成を有することを特徴とする請求項１に記載の紙おむつ用補助シート。
【請求項３】
水溶性フィルムはポリビニルアルコールフィルムであることを特徴とする請求項１又は２に記載の紙おむつ用補助シート。
【請求項４】
水溶性または水離解性を有する紙に消臭剤または芳香剤及び殺菌剤が内添されていることを特徴とする請求項１乃至３の何れか一項に記載の紙おむつ用補助シート。
【請求項５】
複合材料が袋状に形成されていることを特徴とする請求項１乃至４の何れか一項に記載の紙おむつ用補助シート。
【請求項６】
水溶性または水離解性を有する紙の下側に剥離層を介して防水体層が設けられていることを特徴とする請求項１乃至５の何れか一項に記載の紙おむつ用補助シート。
【発明の詳細な説明】
【０００１】
【発明の属する技術分野】
本発明は、紙おむつ用補助シートに関し、更に詳しくは紙おむつそのものは汚すことなく、排便の処理を容易に行うことができる紙おむつ用補助シートに関する。
【０００２】
【従来の技術】
紙おむつは、乳児に対して生後１か月から使用され始めるもので、肌に触れる表面接触体及び吸収体と、外側の防水体とからなる。また乳児のみならず病人や老人への需要もあるものである。
【０００３】
モデル的な紙おむつの構成は、肌に接触する方から、ポリプロピレン繊維やポリエステル繊維からなる多孔質の不織布シートや薄葉紙が積層され、その下にフワフワした綿状のフラッフパルプの層を有するものである。さらにフラッフパルプの層の下にフラッフパルプと自重の４００倍以上もの液体を吸う高吸収性ポリマーの粒を混ぜた層があり、次いでその下に薄葉紙及び外側のポリエチレンシートが積層されている。
【０００４】
フラップパルプの吸液量は１５〜２０ｇ／ｇで、拡散速度は０．５〜０．７ｃｍ／ｓである。これに対して高吸水性ポリマーは生理食塩水でも４０〜８０ｇ／ｇの高い吸液性を示す。また、フラッフパルプは高吸収性ポリマーに比べて吸収速度が速いので、速く吸収したい表面に近い層に使用して、排尿の始めのスピードに追いつく吸液速度で濡れを防いでいる（例えば、非特許文献１参照。）
【０００５】
【非特許文献１】
原　啓志、紙のおはなし、改定版、財団法人　日本規格協会、２００２年２月２０日、ｐ．２２１−２２２
【０００６】
【発明が解決しようとする課題】
以上述べたように、紙おむつは排尿を吸収するように構成されており複数回の排尿に耐えるものであるが、排便があったときは、紙おむつの肌に接触する面が大便によって汚されるので、紙おむつは交換しなければならない。
【０００７】
また、パンツ状に形成された紙おむつは、大便でよごれたときは、履き替えが必要であるが、移動中または外出時に紙おむつの交換を行うことは大変である。また紙おむつは水にとけないので、大便でよごれた紙おむつを直接トイレに流すことはできない。
【０００８】
本発明の目的は、紙おむつそのものは汚すことなく、大便で汚れた部分だけを取り除き、しかも大便および大便で汚れた部分を直接トイレに流すことができる紙おむつの補助シートとして活用し得る紙おむつ用補助シートを提供することである。
【０００９】
【課題を解決するための手段】
請求項１に記載の発明は、上記の課題を解決するもので、水溶性または水離解性を有する紙に水溶性フィルムを部分的に接合し、積層してなる複合材料からなることを特徴とする紙おむつ用補助シートを要旨とする。
【００１０】
本発明の紙おむつ用補助シートにおいて、複合材料として、水溶性または水離解性を有する紙／水溶性フィルム、水溶性または水離解性を有する紙／水溶性フィルム／水溶性または水離解性を有する紙、または水溶性または水離解性を有する紙／水溶性フィルム／発泡水溶性フィルム／水溶性フィルム／水溶性または水離解性を有する紙の層構成を有するものを適用し得る。
【００１１】
水溶性または水離解性を有する紙として、化学パルプを水酸化ナトリウムで、アルカリセルロースに変え、モノクロル酢酸を反応させてカルボキシメチルセルロースを作り、これに普通の化学パルプを混ぜて漉いた後アルカリで処理してなる水溶紙を利用することができる。さらに水溶性または水離解性を有する紙として化学パルプに澱粉を混ぜて漉いた紙を利用することができる。
【００１２】
さらに水溶性または水離解性を有する紙として耐湿樹脂等の繊維間結合を強化するための薬品が添加されていない非塗工紙を利用することができる。
【００１３】
また、水溶性フィルムとして、例えば部分鹸化ポリビニルアルコール、或いは共重合などによる変性ポリビニルアルコール、ポリエチレンオキシドフィルム、メチルセルロースフィルムなどの水溶性ポリマーからなるフィルムを利用することができるが、特に微生物の作用により分解されるポリビニルアルコールフィルムが望ましい。
【００１４】
また本発明の紙おむつ用補助シートにおいて、水溶性または水離解性を有する紙にアルコール溶媒中に溶解させた消臭剤または芳香消臭剤及び殺菌剤が内添されていることが望ましい。
【００１５】
本発明の紙おむつ用補助シートには、シート状のもののみならず複合材料を袋状に形成してなるものも含むものである。
【００１６】
本発明において、水溶性または水離解性を有する紙の下側に剥離層を介して防水体層を設けてもよい。
【００１７】
本発明の紙おむつ用補助シートは、水溶性または水離解性を有する紙と水溶性フィルムからなるので、トイレに流すと水洗トイレの水に溶解し、水洗トイレを詰まらせることはない。また水溶性フィルムは排泄物を確実に受け、おむつカバーが排泄物によって汚れることを防止する。
【００１８】
紙おむつは、まだ継続して使用可能であれば新しいのに交換することなく、本発明の紙おむつ用補助シートからなる紙おむつ用補助シートのみを新しいものに交換することができる。特に、パンツ式紙おむつの場合履き替えをさせなくて済み、簡単に処理することができる。また、紙おむつそのものは汚さないため、衛生的である。
【００１９】
また、消臭剤、芳香剤を水溶性または水離解性を有する紙に内添することにより、臭いもあまり気にならず外出先でも容易に汚物の処理をすることができる。
【００２０】
【発明の実施の形態】
以下、図面を用いて本発明の紙おむつ用補助シートについて説明する。
【００２１】
図１は本発明の紙おむつ用補助シートの第１の実施の形態を示す。
【００２２】
本発明の紙おむつ用補助シート１は、水溶性または水離解性を有する紙３に水溶性フィルム２を部分的接着層４を介して部分的に接合され、積層されてなるものである。本発明の紙おむつ用補助シート１は、水溶性または水離解性を有する紙３と水溶性フィルム２の複合体であるため、水溶性フィルム２の面に排泄物を受け、まとめて直接にトイレに流すことができる。
【００２３】
水溶性または水離解性を有する紙３として、化学パルプを水酸化ナトリウムで、アルカリセルロースに変え、モノクロル酢酸と反応させてカルボキシメチルセルロースを作り、これに普通の化学パルプを混ぜて漉いた後アルカリで処理してなる水溶紙、例えば三島製紙製や大王製紙製の水溶紙２０〜１００ｇ／ｍ２　を利用することができる。さらに水溶性または水離解性を有する紙３として化学パルプに澱粉を混ぜて漉いた紙を利用することができる。
【００２４】
さらに水溶性または水離解性を有する紙３として耐湿樹脂等の繊維間結合を強化するための薬品が添加されていない非塗工紙を利用することができる。
【００２５】
次に水溶性フィルム２として、例えば部分鹸化ポリビニルアルコール、或いは共重合などによる変性ポリビニルアルコール、ポリエチレンオキシドフィルム、メチルセルロースフィルムなどの水溶性ポリマーからなるフィルムを利用することができるが、特に微生物の作用により分解されるポリビニルアルコールフィルム、例えば日本合成化学製ＰＶＡフィルム１０〜３０μが望ましい。
【００２６】
次に部分的接着層４は酢酸ビニル樹脂系接着剤、ポリビニルアルコール系接着剤、澱粉糊等の水溶性接着剤からなる。
【００２７】
次に図２は本発明の第２の実施の形態を示す。
【００２８】
この紙おむつ用用補助シート１は水溶性フィルム２の両面に水溶性または水離解性を有する紙３が部分的接着層４を介して部分的に接合され、積層されてなるものである。この実施の形態に係るものは両面に水溶性または水離解性を有する紙３が存在し、水溶性フィルム２の肌にあたる側の面も水溶性または水離解性を有する紙３により被覆され、柔らかい感触を有するものである。
【００２９】
さらに図３は本発明の第３の実施の形態を示す。
【００３０】
この紙おむつ用補助シート１は、水溶性フィルム２の両側に発泡水溶性フィルム２ａを積層してなる積層シートの両面に部分的接着層４を介して水溶性または水離解性を有する紙３が接合され、積層されてなるものである。
【００３１】
ここにおいて発泡水溶性フィルム２ａとして、部分鹸化ポリビニルアルコールの発泡体、或いは共重合などによる変性ポリビニルアルコールの発泡体、ポリエチレンオキシドフィルムの発泡体、メチルセルロースフィルムの発泡体などの水溶性ポリマーの発泡体からなるフィルムを利用することができるが、特に微生物の作用により分解される発泡ポリビニルアルコールフィルムが望ましい。
【００３２】
第３の実施の形態は発泡水溶性フィルム２ａが用いられているので特にクッション性に富み肌ざわりのよいものである。
【００３３】
第１乃至第３の実施の形態において水溶性または水離解性を有する紙３にアルコール系の溶媒に溶解させた消臭剤または芳香剤を内添させることができる。消臭剤または芳香剤が内添されていることによって排泄物の臭いが消し去られるので外出先においてもあまり臭いを気にすることなく紙おむつ用補助シートの交換を行うことができる。
【００３４】
次に本発明の紙おむつ用補助シートの使用方法について説明する。
【００３５】
図４は、オープン式おむつカバー５に紙おむつ６を取付け、更に乳児の臀部に対応する部分に紙おむつ用補助シート１をあてがい、両面テープ等により固定した状態を示す。また図５は、パンツ式紙おむつ７の乳児の臀部に対応する部分に紙おむつ用補助シート１をあてがい、両面テープ等により固定した状態を示す。
【００３６】
このように紙おむつ用補助シート１を取り付けたおむつを乳児に取付け、乳児が排便したことが臭い等からわかったとき、紙おむつ用補助シート１を取り去り、排泄物と一緒に水洗トイレに流すことができる。水中に流すと、水溶性または水離解性を有する紙３と水溶性フィルム２とが接合している部分が水溶性接着剤からなるので溶解して、水溶性または水離解性を有する紙３は水溶性フィルム２から剥離し、水溶性または水離解性を有する紙３全体が水に晒され溶解されるので、トイレを詰まらせることはない。また紙おむつ用補助シート１を取り去ったおむつまたは新しい紙おむつ用補助シート１を取り付けたおむつを再び乳児に履かせることができ、履き替えをさせなくてすむので処理が簡単である。
【００３７】
紙おむつ用補助シート１には、図６に示すように袋状にしたものも含む。図６に示すものは、二枚の、水溶性または水離解性を有する紙３及び水溶性フィルム２からなる複合材料を重ね合わせ、四方をシールしてシール部８を設けた袋体を形成し、一方の複合材料に排泄物が通る開口部９を設けたものである。
【００３８】
図７は、本発明の紙おむつ用補助シート１の変形態様を示す。この変形態様においては、水溶性または水離解性を有する紙３の下側に剥離層１０を介してポリエチレンフィルムからなる防水体層１１が積層され、尿等の水分が水溶性または水離解性を有する紙３の下側に入り込み、それによって水溶性または水離解性を有する紙３が不用意に溶解されることが防止されている。この変形態様に係る紙おむつ用補助シート１は防水体層１１を剥離し、水溶性または水離解性を有する紙３及び水溶性フィルム２からなる複合材料の部分のみをトイレに流す。
【００３９】
【発明の効果】
以上詳細に説明したように本発明の紙おむつ用補助シートは水溶性または水離解性を有する紙に水溶性フィルムを部分的に接合し、積層してなる複合材料からなることを特徴とするので、トイレに流すと水洗トイレの水に溶解し、水洗トイレを詰まらせることはないという利点を有する。
【００４０】
また、紙おむつはまだ継続して使用可能であれば新しいのに交換することなく、本発明の紙おむつ用補助シートからなる紙おむつ用補助シートのみを新しいものに交換すればよい。特に、パンツ式紙おむつの場合履き替えをさせなくて済み、簡単に処理することができる。また、紙おむつそのものは汚さないため、衛生的である。
【００４１】
また、消臭剤、芳香剤を水溶性または水離解性を有する紙に内添することにより、臭いも気にならず外出先でも容易に汚物の処理をすることができる。
【図面の簡単な説明】
【図１】本発明の紙おむつ用補助シートの第１の実施の形態を示す断面図である。
【図２】本発明の紙おむつ用補助シートの第２の実施の形態を示す断面図である。
【図３】本発明の紙おむつ用補助シートの第３の実施の形態を示す断面図である。
【図４】オープン式おむつカバーに紙おむつ及び紙おむつ用補助シートを取り付けた状態を示す平面図である。
【図５】パンツ式おむつに紙おむつ用補助シートを取り付けた状態の斜視図である。
【図６】袋状に形成した紙おむつ用補助シートの平面図である。
【図７】本発明の紙おむつ用補助シートの別の実施の形態の断面図である。
【符号の説明】
１　　　　紙おむつ用補助シート
２　　　　水溶性フィルム
３　　　　水溶性または水離解性を有する紙
４　　　　部分的接着層
２ａ　　　発泡水溶性フィルム
５　　　　オープン式おむつカバー
６　　　　紙おむつ
７　　　　パンツ式紙おむつ
８　　　　シール部
９　　　　開口部
１０　　　剥離層
１１　　　防水体層
【図１】
2004097699.tif 000003
【図２】
2004097699.tif 000004
【図３】
2004097699.tif 000005
【図４】
2004097699.tif 000006
【図５】
2004097699.tif 000007
【図６】
2004097699.tif 000008
【図７】
2004097699.tif 000009